(57)【要約】  本発明は、ＵＥ移動状態の決定方法、ユーザ機器（ＵＥ）及びコンピュータ記憶媒体を開示し、該方法は、ＵＥが短時間に接続状態に入る場合、移動状態評価変数を維持し続け、前記移動状態評価変数に基づいて前記ＵＥの移動状態を決定することを含む。
2021516929.tif 000002
【特許請求の範囲】
【請求項１】
ユーザ機器（ＵＥ）に適用されるＵＥ移動状態の決定方法であって、
ＵＥが短時間に接続状態に入る場合、移動状態評価変数を維持し続け、前記移動状態評価変数に基づいて前記ＵＥの移動状態を決定することを含む、前記ＵＥ移動状態の決定方法。
【請求項２】
前記方法は、
前記ＵＥが非アクティブ状態又はアイドル状態にある場合、移動状態評価変数を維持し続け、前記移動状態評価変数に基づいて前記ＵＥの移動状態を決定することを更に含む
請求項１に記載の方法。
【請求項３】
前記ＵＥが短時間に接続状態に入り、前記方法は、
前記ＵＥが周期的位置更新処理を実行して接続状態に入る場合、前記ＵＥが短時間に接続状態に入ると決定することを更に含む
請求項１に記載の方法。
【請求項４】
前記ＵＥが短時間に接続状態に入り、前記方法は、
前記ＵＥが接続状態に入る場合、前記ＵＥがスモールパケットサービスデータのみを伝送し、且つ接続状態を維持する時間が時間閾値より短い場合、前記ＵＥが短時間に接続状態に入ると決定することを更に含む
請求項１に記載の方法。
【請求項５】
前記方法は、
システムブロードキャストによって時間閾値を取得することを更に含む
請求項１に記載の方法。
【請求項６】
前記ＵＥが短時間に接続状態に入る場合、移動状態評価変数を維持し続け、前記移動状態評価変数に基づいて前記ＵＥの移動状態を決定することは、
前記ＵＥが接続状態に入り、且つ接続状態を維持する時間が前記時間閾値範囲内にある場合、前記ＵＥが短時間に接続状態に入ると決定すると、移動状態評価変数をリセットせずに前記移動状態評価変数に基づいて前記ＵＥの移動状態を決定して、接続状態で生じた切り替えを再選択回数に計上することを含む
請求項５に記載の方法。
【請求項７】
前記方法は、
前記ＵＥが接続状態に入った時間が前記時間閾値より大きい場合、移動状態評価変数をリセットすることを更に含む
請求項６に記載の方法。
【請求項８】
前記方法は、
前記ＵＥが移動状態評価変数をリセットした後、改めて接続状態からアイドル状態又は非アクティブ状態に戻る場合、ネットワーク側から送信されたＲＲＣシグナリングによって現在のＵＥ移動状態を取得することを更に含む
請求項７に記載の方法。
【請求項９】
前記方法は、
移動状態を評価するとき、スライドウィンドウを定義することであって、前記スライドウィンドウの終了時刻を現在時間に更新し、前記スライドウィンドウの長さがシステムブロードキャストによって設定されたプリセットの長さであることと、
前記スライドウィンドウの開始時刻と終了時刻との間のセル再選択回数に基づいて移動状態評価変数を決定することであって、前記開始時刻が終了時刻からスライドウィンドウの長さを引いたものであることと、を更に含む
請求項１〜７のいずれか１項に記載の方法。
【請求項１０】
ＵＥであって、
短時間に接続状態に入る場合、移動状態評価変数を維持し続け、前記移動状態評価変数に基づいて前記ＵＥの移動状態を決定するように構成される処理ユニットを備える、前記ＵＥ。
【請求項１１】
前記処理ユニットは、前記ＵＥが非アクティブ状態又はアイドル状態にある場合、移動状態評価変数を維持し続け、前記移動状態評価変数に基づいて前記ＵＥの移動状態を決定するように構成される
請求項１０に記載のＵＥ。
【請求項１２】
前記処理ユニットは、前記ＵＥが周期的位置更新処理を実行して接続状態に入る場合、前記ＵＥが短時間に接続状態に入ると決定するように構成される
請求項１０に記載のＵＥ。
【請求項１３】
前記処理ユニットは、前記ＵＥが接続状態に入る場合、前記ＵＥがスモールパケットサービスデータのみを伝送し、且つ接続状態を維持する時間が時間閾値より短い場合、前記ＵＥが短時間に接続状態に入ると決定するように構成される
請求項１０に記載のＵＥ。
【請求項１４】
前記ＵＥは、更に、
システムブロードキャストによって時間閾値を取得する通信ユニットを備える
請求項１０に記載のＵＥ。
【請求項１５】
前記処理ユニットは、前記ＵＥが接続状態に入り、且つ接続状態を維持する時間が前記時間閾値範囲内にある場合、前記ＵＥが短時間に接続状態に入ると決定すると、移動状態評価変数をリセットせずに前記移動状態評価変数に基づいて前記ＵＥの移動状態を決定して、接続状態で生じた切り替えを再選択回数に計上するように構成される
請求項１４に記載のＵＥ。
【請求項１６】
前記処理ユニットは、前記ＵＥが接続状態に入った時間が前記時間閾値より大きい場合、移動状態評価変数をリセットするように構成される
請求項１５に記載のＵＥ。
【請求項１７】
前記処理ユニットは、前記ＵＥが移動状態評価変数をリセットした後、改めて接続状態からアイドル状態又は非アクティブ状態に戻る場合、ネットワーク側から送信されたＲＲＣシグナリングによって現在のＵＥ移動状態を取得するように構成される
請求項１６に記載のＵＥ。
【請求項１８】
前記処理ユニットは、移動状態を評価するとき、スライドウィンドウを定義するように構成され、前記スライドウィンドウの終了時刻を現在時間に更新し、前記スライドウィンドウの長さがシステムブロードキャストによって設定されたプリセットの長さであり、前記スライドウィンドウの開始時刻と終了時刻との間のセル再選択回数に基づいて移動状態評価変数を決定するように構成され、前記開始時刻が終了時刻からスライドウィンドウの長さを引いたものである
請求項１０〜１６のいずれか１項に記載のＵＥ。
【請求項１９】
ＵＥであって、
プロセッサと、プロセッサで実行できるコンピュータプログラムを記憶するように構成されるメモリと、を備え、
前記プロセッサは前記コンピュータプログラムを実行するとき、請求項１〜９のいずれか１項に記載の方法ステップを実行するために使用される、前記ＵＥ。
【請求項２０】
コンピュータ記憶媒体であって、
コンピュータ実行可能命令が記憶され、前記コンピュータ実行可能命令が実行されるとき、請求項１〜９のいずれか１項に記載の方法ステップを実現する、前記コンピュータ記憶媒体。
【発明の詳細な説明】
【技術分野】
【０００１】
本発明は情報処理技術分野に関し、特にＵＥ移動状態の決定方法、ユーザ機器（ＵＥ）及びコンピュータ記憶媒体に関する。
【背景技術】
【０００２】
ＵＥがｉｄｌｅ状態でセルの選択及び再選択を実行する過程において、移動のロバスト性を確保するために、ＵＥは自分の速度に応じてセル再選択パラメータを調整する必要がある。現在のＬＴＥの移動状態の判断ルールは、移動状態については、所定時間のセル再選択回数に基づいてＵＥの移動状態を定義し、例えば、図１に示すように、ｈｉｇｈ−ｍｏｂｉｌｉｔｙ（高移動性）、ｍｅｄｉｕｍ−ｍｏｂｉｌｉｔｙ（中移動性）、ｎｏｒｍａｌ−ｍｏｂｉｌｉｔｙ（通常移動性）等の状態を含み、これらの移動性を決定する方式については、図示のとおり、異なる切り替え回数に対応する閾値が２つの閾値、すなわちＮ  ＣＲ−Ｈ（すなわち、高閾値）及びＮ  ＣＲ＿Ｍ（すなわち、低閾値又は通常の閾値）を含み、速度のスケーリングについては、現在のＵＥの移動状態に応じてセル選択・再選択パラメータに対して速度ベースのスケーリングを行うことにより、移動速度のＵＥ移動性能への影響を低減するということである。
【０００３】
一般的に、ＵＥが接続状態に入った後、ＵＥの移動状態をセル切り替え回数によって統計し、この統計がｅＮＢにより行われ、接続状態における移動性がネットワーク側により制御されるため、ＵＥが短時間に接続状態に入る場合、移動状態を判断する変数をどのように処理するかは、改めて定義される必要がある。
【発明の概要】
【発明が解決しようとする課題】
【０００４】
上記技術的問題を解決するために、本発明の実施例はＵＥ移動状態の決定方法、ユーザ機器（ＵＥ）及びコンピュータ記憶媒体を提供する。
【課題を解決するための手段】
【０００５】
本発明の実施例はＵＥ移動状態の決定方法を提供し、該方法はＵＥに適用され、前記方法は、
ＵＥが短時間に接続状態に入る場合、移動状態評価変数を維持し続け、前記移動状態評価変数に基づいて前記ＵＥの移動状態を決定することを含む。
【０００６】
本発明の実施例はＵＥを提供し、前記ＵＥは、
短時間に接続状態に入る場合、移動状態評価変数を維持し続け、前記移動状態評価変数に基づいて前記ＵＥの移動状態を決定するように構成される処理ユニットを備える。
【０００７】
本発明の実施例に係るユーザ機器（ＵＥ）であって、プロセッサと、プロセッサで実行できるコンピュータプログラムを記憶するように構成されるメモリと、を備え、
前記プロセッサは前記コンピュータプログラムを実行するとき、上記の方法ステップを実行するために使用される。
【発明の効果】
【０００８】
本発明の実施例の技術案において、ＵＥが短時間に接続状態に入る場合、依然として前記ＵＥによって移動状態評価変数を維持して、移動状態評価変数に基づいて前記ＵＥの移動状態を決定することができ、それによりネットワーク側とＵＥ側との頻繁な切り替えによって移動性を判断することを回避し、ＵＥの判断の構成及びＵＥ移動状態の記憶の原則のみで、ＵＥがその移動状態を正しく判断することができ、これにより、ＵＥの移動のロバスト性を向上させるという目的を実現する。
【図面の簡単な説明】
【０００９】
【図１】移動状態分割の模式図である。
【図２】本発明の実施例に係るＵＥ移動状態の決定方法の例示的なフローチャートである。
【図３】本発明の実施例のユーザ機器の構成の例示的な構造図である。
【図４】本発明の実施例のハードウェアのアーキテクチャの概略図である。
【発明を実施するための形態】
【００１０】
本発明の実施例の特徴及び技術的内容をより詳しく理解するために、以下に図面を参照しながら本発明の実施例の実現を詳しく説明し、添付の図面は参照・説明のためのものであって、本発明の実施例を制限するためのものではない。
【００１１】
実施例１
本発明の実施例はＵＥ移動状態の決定方法を提供し、該方法はユーザ機器（ＵＥ）に適用され、ＵＥが短時間に接続状態に入る場合、移動状態評価変数を維持し続け、前記移動状態評価変数に基づいて前記ＵＥの移動状態を決定することを含む。
【００１２】
また、他の状態にある場合、更に対応するルールがあってもよく、例えば、図２に示すように、更に以下を含む。
【００１３】
ステップ１０１において、前記ＵＥが非アクティブ状態又はアイドル状態にある場合、移動状態評価変数を維持し続け、前記移動状態評価変数に基づいて前記ＵＥの移動状態を決定する。つまり、現在のＵＥが非アクティブ（ｉｎａｃｔｉｖｅ）状態にセル再選択原則を実行するため、ＵＥ移動状態を評価する必要もあり、この処理はアイドル（ｉｄｌｅ）状態における処理と類似するため、ＵＥがｉｄｌｅ及びｉｎａｃｔｉｖｅ状態にある場合、いずれもリセットせずに移動状態評価変数を維持し続ける。
【００１４】
ステップ１０２において、ＵＥが短時間に接続状態に入る場合、移動状態評価変数を維持し続け、前記移動状態評価変数に基づいて前記ＵＥの移動状態を決定する。
【００１５】
上記２つのステップは処理順序を制限するためのものではなく、本願に含まれる２つの処理特徴を示すものであり、つまり、２つのステップは上記順序で実行されてもよいし、ＵＥが短時間に接続状態に入ると決定した後、ステップ１０２を実行し、ＵＥがアイドル又は非アクティブ状態に入ると決定する場合、ステップ１０１を実行してもよいことを理解されたい。ここで詳細な説明は省略する。
【００１６】
前記ＵＥが短時間に接続状態に入ることについては、以下のいくつかの状況がある。
【００１７】
第１状況
前記ＵＥが周期的位置更新処理を実行して接続状態に入る場合、前記ＵＥが短時間に接続状態に入ると決定する。
【００１８】
つまり、ＵＥが周期的位置更新を行って、一時的に接続状態に入る場合、移動状態評価変数をリセットしない。
【００１９】
第２状況
前記ＵＥが接続状態に入る場合、前記ＵＥがスモールパケットサービスデータのみを伝送し、且つ接続状態を維持する時間が時間閾値より短い場合、前記ＵＥが短時間に接続状態に入ると決定する。
【００２０】
つまり、ＵＥが接続状態に入って、スモールパケットサービスデータのみを送信し、速やかにｉｄｌｅ又はＩＮＡＣＴＩＶＥ状態に戻る場合、移動状態評価変数をリセットしない。
【００２１】
また、以上の２つの状況と並列して存在してもよいし、上記２つの状況と同時に存在してもよいことを判断すると、
システムブロードキャストによって時間閾値を取得するということである。
【００２２】
ＵＥが接続状態に入り、且つ接続状態を維持する時間が前記時間閾値範囲内にある場合、前記ＵＥが短時間に接続状態に入ると決定すると、移動状態評価変数をリセットせずに前記移動状態評価変数に基づいて前記ＵＥの移動状態を決定して、接続状態で生じた切り替えを再選択回数に計上する。
【００２３】
ＵＥが接続状態に入った時間が前記時間閾値より大きい場合、移動状態評価変数をリセットする。
【００２４】
つまり、まず、システムブロードキャストによって１つの時間閾値ｔを取得し（更に、この時間閾値がシステムブロードキャストに設定されたものであってもよいし、ＵＥ側に予め記憶されたものであってもよく、ここで制限しないことを理解されたい）、ＵＥが接続状態に入った時間がｔ時間範囲内にある場合、移動状態評価変数をリセットせず、このとき、接続状態で生じた切り替えも再選択回数に計上してもよい。
【００２５】
ＵＥが接続状態に入った時間がｔより大きい場合、移動状態評価変数をリセットする。つまり、ＵＥが接続状態に入って、短時間に接続状態に入るのではない場合、ネットワーク側に移動状態における評価を行わせてもよく、このような場合、前記ＵＥが移動状態評価変数をリセットした後、改めて接続状態からアイドル状態又は非アクティブ状態になれば、ネットワーク側から送信されたＲＲＣシグナリングによってＵＥの現在移動状態を取得する。
【００２６】
最後に、接続状態に入った時間については、スライドウィンドウを定義することで評価してもよく、例えば、移動状態を評価するとき、スライドウィンドウを定義し、前記スライドウィンドウの終了時刻を現在時間に更新し、前記スライドウィンドウの長さがシステムブロードキャストによって設定されたプリセットの長さであり、前記スライドウィンドウの開始時刻と終了時刻との間のセル再選択回数に基づいて移動状態評価変数を決定し、前記開始時刻が終了時刻からスライドウィンドウの長さを引いたものであることを指摘する必要がある。
【００２７】
つまり、移動状態を評価するとき、１つのスライドウィンドウを定義し、スライドウィンドウが常に時間につれて現在時間に更新され、スライドウィンドウの長さがＴＣＲｍａｘであり、開始時刻及び終了時刻については、現在時刻ｎとｎ−ＴＣＲｍａｘ時刻との間のセル再選択回数に基づいて移動状態を評価する。
【００２８】
以上によれば、上記の技術案に基づき、ＵＥが短時間に接続状態に入る場合、依然として前記ＵＥによって移動状態評価変数を維持して、移動状態評価変数に基づいて前記ＵＥの移動状態を決定することができ、それによりネットワーク側及びＵＥ側との頻繁な切り替えによって移動性を判断することを回避し、ＵＥの判断の構成及びＵＥ移動状態の記憶の原則のみで、ＵＥがその移動状態を正しく判断することができ、これにより、ＵＥの移動のロバスト性を向上させるという目的を実現する。
【００２９】
実施例２
本発明の実施例はＵＥを提供し、図３に示すように、前記ＵＥは、
短時間に接続状態に入る場合、移動状態評価変数を維持し続け、前記移動状態評価変数に基づいて前記ＵＥの移動状態を決定するように構成される処理ユニット２１を備える。
【００３０】
また、他の状態にある場合、更に対応するルールがあってもよく、例えば、処理ユニット２１は、前記ＵＥが非アクティブ状態又はアイドル状態にある場合、移動状態評価変数を維持し続け、前記移動状態評価変数に基づいて前記ＵＥの移動状態を決定するように構成される。つまり、現在のＵＥが非アクティブ（ｉｎａｃｔｉｖｅ）状態に再選択原則を実行するため、ＵＥ移動状態を評価する必要もあり、この処理はアイドル（ｉｄｌｅ）状態における処理と類似してもよいため、ＵＥがｉｄｌｅ及びｉｎａｃｔｉｖｅ状態にある場合、いずれもリセットせずに移動状態評価変数を維持し続ける。
【００３１】
ＵＥが短時間に接続状態に入ることについては、以下のいくつかの状況があってもよい。
【００３２】
第１状況
処理ユニット２１は、前記ＵＥが周期的位置更新処理を実行して接続状態に入る場合、前記ＵＥが短時間に接続状態に入ると決定するように構成される。
【００３３】
つまり、ＵＥが周期的位置更新を行って、一時的に接続状態に入る場合、移動状態評価変数をリセットしない。
【００３４】
第２状況
処理ユニット２１は、前記ＵＥが接続状態に入る場合、前記ＵＥがスモールパケットサービスデータのみを伝送し、且つ接続状態を維持する時間が時間閾値より短い場合、前記ＵＥが短時間に接続状態に入ると決定するように構成される。
【００３５】
つまり、ＵＥが接続状態に入って、スモールパケットサービスデータのみを送信し、速やかにｉｄｌｅ又はＩＮＡＣＴＩＶＥ状態に戻る場合、移動状態評価変数をリセットしない。
【００３６】
また、以上の２つの状況と並列して存在してもよいし、上記２つの状況と同時に存在してもよいことを判断することは以下のとおりである
前記ＵＥは、更に、
システムブロードキャストによって時間閾値を取得する通信ユニット２２と、
ＵＥが接続状態に入り、且つ接続状態を維持する時間が前記時間閾値範囲内にある場合、前記ＵＥが短時間に接続状態に入ると決定すると、移動状態評価変数をリセットせずに前記移動状態評価変数に基づいて前記ＵＥの移動状態を決定して、接続状態で生じた切り替えを再選択回数に計上するように構成される処理ユニット２１と、を備える。
【００３７】
ＵＥが接続状態に入った時間が前記時間閾値より大きい場合、移動状態評価変数をリセットする。
【００３８】
つまり、まず、システムブロードキャストによって１つの時間閾値ｔを取得し（更にこの時間閾値がシステムブロードキャストに設定されたものであってもよいし、ＵＥ側が予め記憶されたものであってもよく、ここで制限しないことを理解されたい）、ＵＥが接続状態に入った時間がｔ時間範囲内にある場合、移動状態評価変数をリセットせず、このとき、接続状態で生じた切り替えも再選択回数に計上してもよい。
【００３９】
ＵＥが接続状態に入った時間がｔより大きい場合、移動状態評価変数をリセットする。つまり、ＵＥが接続状態に入って、短時間に接続状態に入るのではない場合、ネットワーク側に移動状態における評価を行わせてもよく、このような場合、前記ＵＥが移動状態評価変数をリセットした後、改めて接続状態からアイドル状態又は非アクティブ状態になれば、ネットワーク側から送信されたＲＲＣシグナリングによってＵＥの現在移動状態を取得する。
【００４０】
最後に、接続状態に入った時間については、スライドウィンドウを定義することで評価してもよく、例えば、処理ユニット２１は、移動状態を評価するとき、スライドウィンドウを定義し、前記スライドウィンドウの終了時刻を現在時間に更新し、前記スライドウィンドウの長さがシステムブロードキャストによって設定されたプリセットの長さであり、前記スライドウィンドウの開始時刻と終了時刻との間のセル再選択回数に基づいて移動状態評価変数を決定し、前記開始時刻が終了時刻からスライドウィンドウの長さを引いたものであることを指摘する必要がある。
【００４１】
つまり、移動状態を評価するとき、１つのスライドウィンドウを定義し、スライドウィンドウが常に時間につれて現在時間に更新され、スライドウィンドウの長さがＴＣＲｍａｘであり、開始時刻及び終了時刻については、現在時刻ｎとｎ−ＴＣＲｍａｘ時刻との間のセル再選択回数に基づいて移動状態を評価する。
【００４２】
以上によれば、上記の技術案に基づき、ＵＥが短時間に接続状態に入る場合、依然として前記ＵＥによって移動状態評価変数を維持して、移動状態評価変数に基づいて前記ＵＥの移動状態を決定することができ、それによりネットワーク側とＵＥ側との頻繁な切り替えによって移動性を判断することを回避し、ＵＥの判断の構成及びＵＥ移動状態の記憶の原則のみで、ＵＥがその移動状態を正しく判断することができ、これにより、ＵＥの移動のロバスト性を向上させるという目的を実現する。
【００４３】
本発明の実施例は更にユーザ機器又は受信側装置のハードウェアのアーキテクチャを提供し、図４に示すように、該アーキテクチャは少なくとも１つのプロセッサ３１、メモリ３２、少なくとも１つのネットワークインターフェース３３を備える。各コンポーネントがバスシステム３４によって一体に結合される。理解されるように、バスシステム３４はこれらのコンポーネント同士の接続通信を実現することに用いられる。バスシステム３４はデータバスのほか、更に電源バス、制御バス及び状態信号バスを含む。しかしながら、明確に説明するために、図３では様々なバスがいずれもバスシステム３４と記される。
【００４４】
理解されるように、本発明の実施例では、メモリ３２は揮発性メモリであっても、又は不揮発性メモリであってもよく、又は、揮発性メモリ及び不揮発性メモリの両方を含んでもよい。
【００４５】
いくつかの実施形態では、メモリ３２には、
実行可能モジュール又はデータ構造、すなわちオペレーティングシステム３２１及びアプリケーションプログラム３２２、又はそれらのサブセット、又はそれらの拡張セットが記憶される。
【００４６】
前記プロセッサ３１は上記実施例１の方法ステップを処理できるように構成され、ここで詳細な説明は省略する。
【００４７】
本発明の実施例に係るコンピュータ記憶媒体であって、前記コンピュータ記憶媒体にコンピュータ実行可能命令が記憶され、前記コンピュータ実行可能命令が実行されるとき、上記の実施例１の方法ステップを実施する。
【００４８】
本発明の実施例の上記装置はソフトウェア機能モジュールの形式で実現され、独立した製品として販売又は使用されるときは、１つのコンピュータ可読記憶媒体に記憶されてもよい。このような理解に基づき、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【００４９】
それに対応して、本発明の実施例は更にコンピュータ記憶媒体を提供し、該コンピュータ記憶媒体にコンピュータプログラムが記憶され、該コンピュータプログラムは本発明の実施例のデータスケジューリング方法を実行するように構成される。
【００５０】
例示のため、本発明の好適な実施例を開示したが、当業者であれば意識できるように、種々の改良、追加及び置換も可能であり、従って、本発明の範囲は上記実施例に制限されるものではない。
【図１】
2021516929.tif 000003
【図２】
2021516929.tif 000004
【図３】
2021516929.tif 000005
【図４】
2021516929.tif 000006
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に適用されるＵＥ移動状態の決定方法であって、
ＵＥが短時間に接続状態に入る場合、移動状態評価変数を維持し続け、前記移動状態評価変数に基づいて前記ＵＥの移動状態を決定することを含む、前記ＵＥ移動状態の決定方法。
【請求項２】
前記方法は、
前記ＵＥが非アクティブ状態又はアイドル状態にある場合、移動状態評価変数を維持し続け、前記移動状態評価変数に基づいて前記ＵＥの移動状態を決定することを更に含む
請求項１に記載の方法。
【請求項３】
前記ＵＥが短時間に接続状態に入ることは、
前記ＵＥが周期的位置更新処理を実行して接続状態に入る場合、前記ＵＥが短時間に接続状態に入ると決定すること、または、
前記ＵＥが接続状態に入る場合、前記ＵＥがスモールパケットサービスデータのみを伝送し、且つ接続状態を維持する時間が時間閾値より短い場合、前記ＵＥが短時間に接続状態に入ると決定することを含む
請求項１に記載の方法。
【請求項４】
前記方法は、
システムブロードキャストによって時間閾値を取得することを更に含み、
前記ＵＥが短時間に接続状態に入る場合、移動状態評価変数を維持し続け、前記移動状態評価変数に基づいて前記ＵＥの移動状態を決定することは、
前記ＵＥが接続状態に入り、且つ接続状態を維持する時間が前記時間閾値範囲内にある場合、前記ＵＥが短時間に接続状態に入ると決定すると、移動状態評価変数をリセットせずに前記移動状態評価変数に基づいて前記ＵＥの移動状態を決定して、接続状態で生じた切り替えを再選択回数に計上することを含む
請求項１に記載の方法。
【請求項５】
前記方法は、
前記ＵＥが接続状態に入った時間が前記時間閾値より大きい場合、移動状態評価変数をリセットすることを更に含む
請求項４に記載の方法。
【請求項６】
前記方法は、
前記ＵＥが移動状態評価変数をリセットした後、改めて接続状態からアイドル状態又は非アクティブ状態に戻る場合、ネットワーク側から送信されたＲＲＣシグナリングによって現在のＵＥ移動状態を取得することを更に含む
請求項５に記載の方法。
【請求項７】
前記方法は、
移動状態を評価するとき、スライドウィンドウを定義することであって、前記スライドウィンドウの終了時刻を現在時間に更新し、前記スライドウィンドウの長さがシステムブロードキャストによって設定されたプリセットの長さであることと、
前記スライドウィンドウの開始時刻と終了時刻との間のセル再選択回数に基づいて移動状態評価変数を決定することであって、前記開始時刻が終了時刻からスライドウィンドウの長さを引いたものであることと、を更に含む
請求項１〜６のいずれか１項に記載の方法。
【請求項８】
ＵＥであって、
短時間に接続状態に入る場合、移動状態評価変数を維持し続け、前記移動状態評価変数に基づいて前記ＵＥの移動状態を決定するように構成される処理ユニットを備える、前記ＵＥ。
【請求項９】
前記処理ユニットは、さらに、前記ＵＥが非アクティブ状態又はアイドル状態にある場合、移動状態評価変数を維持し続け、前記移動状態評価変数に基づいて前記ＵＥの移動状態を決定するように構成される
請求項８に記載のＵＥ。
【請求項１０】
前記処理ユニットは、さらに、前記ＵＥが周期的位置更新処理を実行して接続状態に入る場合、前記ＵＥが短時間に接続状態に入ると決定するように構成され、または、
前記処理ユニットは、さらに、前記ＵＥが接続状態に入る場合、前記ＵＥがスモールパケットサービスデータのみを伝送し、且つ接続状態を維持する時間が時間閾値より短い場合、前記ＵＥが短時間に接続状態に入ると決定するように構成される
請求項８に記載のＵＥ。
【請求項１１】
前記ＵＥは、更に、
システムブロードキャストによって時間閾値を取得する通信ユニットを備え、
前記処理ユニットは、前記ＵＥが接続状態に入り、且つ接続状態を維持する時間が前記時間閾値範囲内にある場合、前記ＵＥが短時間に接続状態に入ると決定すると、移動状態評価変数をリセットせずに前記移動状態評価変数に基づいて前記ＵＥの移動状態を決定して、接続状態で生じた切り替えを再選択回数に計上するように構成される
請求項８に記載のＵＥ。
【請求項１２】
前記処理ユニットは、前記ＵＥが接続状態に入った時間が前記時間閾値より大きい場合、移動状態評価変数をリセットするように構成される
請求項１１に記載のＵＥ。
【請求項１３】
前記処理ユニットは、前記ＵＥが移動状態評価変数をリセットした後、改めて接続状態からアイドル状態又は非アクティブ状態に戻る場合、ネットワーク側から送信されたＲＲＣシグナリングによって現在のＵＥ移動状態を取得するように構成される
請求項１２に記載のＵＥ。
【請求項１４】
前記処理ユニットは、移動状態を評価するとき、スライドウィンドウを定義するように構成され、前記スライドウィンドウの終了時刻を現在時間に更新し、前記スライドウィンドウの長さがシステムブロードキャストによって設定されたプリセットの長さであり、前記スライドウィンドウの開始時刻と終了時刻との間のセル再選択回数に基づいて移動状態評価変数を決定するように構成され、前記開始時刻が終了時刻からスライドウィンドウの長さを引いたものである
請求項８〜１３のいずれか１項に記載のＵＥ。
【請求項１５】
コンピュータ記憶媒体であって、
コンピュータ実行可能命令が記憶され、前記コンピュータ実行可能命令が実行されるとき、請求項１〜７のいずれか１項に記載の方法ステップを実現する、前記コンピュータ記憶媒体。
【国際調査報告】
2021516929.tif 000007
2021516929.tif 000008
2021516929.tif 000009
2021516929.tif 000010